(57)【要約】      （修正有）【課題】薄く柔軟性のあるシートを傷つけたり汚したりすることなく所定形状に打抜き分離するシート打抜き方法を提供する。【解決手段】所定ピッチで搬送される大判シート１を、この大判シート１の搬送方向の一部に連結部６を残すように、打抜刃によって所定形状に打抜き、この打抜き部より大判シート１と一体となった所定形状の打抜いたシート２を、打抜き部から所定位置まで搬送し、その位置で連結部６を切断して個片のシート２に分離する。【選択図】図３
2006095660.tif 000002
【特許請求の範囲】
【請求項１】
所定ピッチで搬送される大判シートをこの大判シートの搬送方向の一部に連結部を残すように打抜刃によって所定形状に打抜き、この打抜き部より大判シートと一体となった所定形状の打抜いたシートを所定位置まで搬送し、その位置で上記連結部を切断して個片のシートに分離するシート打抜き方法。
【請求項２】
一部を欠除した打抜刃で打抜くことにより連結部を残す請求項１に記載のシート打抜き方法。
【請求項３】
シートを酸素富化膜とする請求項１に記載のシート打抜き方法。
【請求項４】
打抜き部で打抜刃を多数個並べた状態で打抜くようにした請求項１に記載のシート打抜き方法。
【発明の詳細な説明】
【技術分野】
【０００１】
本発明は、薄く柔軟性のあるシートを表面を傷つけたり汚すことなく大判シートから打抜くことのできるシート打抜き方法に関するものである。
【背景技術】
【０００２】
従来のシート打抜き方法としては、大判シートから所定形状の個片シートを得るのにトムソン型で個片シートの両側面となる部分の一部に連結部を残して打抜き、これを送りロール面に沿って湾曲させながら送って大判シートから個片シートを立上がらせて、その立上がった個片シートを挟んで引き取って分離するようなものが開発されていた（特許文献１参照）。
【特許文献１】特開平３−２６１５４６号公報
【発明の開示】
【発明が解決しようとする課題】
【０００３】
しかしながら、上記従来例に示されるものは、かなりの剛性をもったプラスチックシートなどに有効な打抜き方法であり、薄く柔軟性のあるシートを打抜くのには適さない方法であった。
【０００４】
すなわち、その理由としては、個片シートの両側面に連結部を設けて送りロール面に沿って搬送したとき、個片シートの先端が立上がるようにしているが、薄く柔軟性のあるシートではトムソン型で打抜いた後トムソン型から取り出す際に搬送方向の個片シートの先端がフリーになっているため大判シートは取り出されていくが、個片シートの先端がトムソン型に残るような形となって折れ曲ってしまい、個片シートを傷つけたり汚したりしてしまうものであった。
【０００５】
本発明は以上のような課題を解決するものであり、薄く柔軟性のあるシートを表面を傷つけたり汚したりすることなく打抜くことのできるシート打抜き方法を提供することを目的とするものである。
【課題を解決するための手段】
【０００６】
上記目的を達成するために本発明のシート打抜き方法は、特に大判シートの搬送方向の一部に連結部を残すように所定形状に打抜き、これを打抜き部から搬送した後連結部を切断して個片のシートに分離するようにしたものである。
【０００７】
この方法とすることによって、大判シートが薄く柔軟性のあるものでも、搬送方向の一部が連結されているため、打抜き部から確実に搬送することができ、個片のシートを傷つけたり、汚したりすることが防止できる。
【発明の効果】
【０００８】
本発明のシート打抜き方法は、搬送方向の一部に連結部を残して打抜いているため、打抜き部からの搬出が確実に行えて打抜いた個片のシートの表面を傷つけたり、汚したりすることがなくきわめて生産性に優れたものとなる。
【発明を実施するための最良の形態】
【０００９】
本発明のシート打抜き方法は、所定ピッチで搬送される大判シートをこの大判シートの搬送方向の一部に連結部を残すように打抜刃によって所定形状に打抜き、この打抜き部より大判シートと一体となった所定形状の打抜いたシートを所定位置まで搬送し、その位置で上記連結部を切断して個片のシートに分離することを特徴とするものである。
【００１０】
この方法とすることにより、薄く柔軟性のあるシートであっても打抜き部から確実に搬送できてシートを傷つけたり、汚したりすることがなく個片のシートを得ることができる。
【００１１】
また、一部を欠除した打抜刃で打抜くことにより連結部を残すことができ、その連結部の大きさも自由に選択することができる。
【００１２】
さらに、シートを酸素富化膜とすることにより、支持体の表面に設けた高分子からなる薄い気体分離膜を傷つけたり汚したりすることがなくなり、所定の機能を損うことなく所定形状の酸素富化膜を得ることができる。
【００１３】
また、打抜き部で打抜刃を多数個並べた状態で打抜くようにすることにより、所定形状の個片のシートを多数個一度に打抜くことができ生産性の大幅な向上が図れることになる。
【００１４】
以下、本発明のシート打抜き方法について図１〜図７を用いて説明する。
【００１５】
図１に示すように薄く柔軟性のあるプラスチックシート、紙シート、布あるいは金属シートさらにこれらの複合シートなどからなる大判シート１はロール状に巻回されている。このような大判シート１はトムソン型に所定ピッチで供給され、図２に示すように大判シート１に所定形状のシート２をトムソン型で打抜刃３により打抜く。この打抜刃３は図７に示すように刃４の一部に欠除部５が設けられたもので構成され、この構成の打抜刃３がトムソン型に複数個並んで取付けられ、一度の打抜きで複数個の所定形状のシート２が同時に打抜かれるようになっている。
【００１６】
また、上記打抜刃３の欠除部５は、大判シート１の搬送方向の一部、すなわち、大判シート１の搬送方向の所定形状のシート２の先端側の辺の一部に対応するようにトムソン型に取付けられており、この欠除部５によって形成される連結部６は所定形状のシート２の大判シート１の搬送方向の一部に形成されることになる。
【００１７】
したがって、トムソン型で打抜かれた所定形状のシート２を一体とした大判シート１はトムソン型の打抜き部から図２の矢印で示すようにシート２以外の大判シート１の残部を利用して一定のピッチ分だけ搬出される。この搬出した位置で図３に示すように上記連結部６をカッター７で切断する。
【００１８】
そして、図４に示すようにカッター７で連結部６を切断して個片のシート２に分離した後は個片のシート２を表面を傷めないように大判シート１から取出し、図５に示すようにシート２より少し大きくした開口部８を複数個有し、この開口部８の両側部に支持片９を設けたパレット１０にシート２を保持させ、最終的には図６に示すように全ての開口部８にシート２を保持させて保管したり、ユーザへの供給できる状態とする。
【００１９】
上記のようなステップでシート２を打抜き分離するに当って、トムソン型で大判シート１から所定形状のシート２を打抜くにあたり、連結部６を設けずに完全に打抜くと、シート２は打抜刃３に付着したまま持ち上げられてしまったりし、それを取出すのにシート２の表面を傷つけたり、汚してしまったりすることになる。
【００２０】
しかしながら、連結部６を大判シート１の搬送方向の一部に設けておくことにより、シート２を一体化した大判シート１を搬送方向に所定ピッチ送り出し、その送り出し時に大判シート１の残部に連結したシート２はめくれ上ったりせずにトムソン型から取出すことができ、所定ピッチ送り出した位置でカッター７で切断して分離し、シート２の表面を触れないように取出してパレット１０に収納することができる。
【００２１】
したがって、薄く柔軟性のあるシート２でも傷つけたり、表面を汚したりすることなく打抜き分離することができる。
【００２２】
このようなシート打抜き方法に有効なものとして気体分離複合膜としての酸素富化膜がある。
【００２３】
この酸素富化膜は不織布にポリシロキサンとスチレンの共重合体を主成分とする高分子薄膜を形成したものからなり、この酸素富化膜の両面の間に圧力差を設けることにより空気中の酸素が膜に溶解し、しかも膜中に拡散していき、低圧側の反対側に離脱して酸素濃度の高い空気を生成することができるものである。
【００２４】
このような酸素富化膜は、生活環境を良くするためにいろいろな用途に利用されているが、高分子薄膜は１００ｎｍ程度のきわめて薄い膜のため、打抜き分離時に折れ曲がったり、汚れたりすることによりその機能を果せなくなる可能性が大きいが、上述の方法で打抜くことにより、傷つけたり、汚したりすることは防止でき、シート２としての製品歩留りを著しく高いものとすることができる。
【産業上の利用可能性】
【００２５】
以上のように本発明のシート打抜き方法は、あらゆる薄く柔軟性のあるシート状のものの打抜きに有効な方法となり、用途の広いものである。
【図面の簡単な説明】
【００２６】
【図１】本発明のシート打抜き方法の一実施の形態における大判シートを示す斜視図
【図２】同大判シートを打抜刃で打抜いた状態の斜視図
【図３】同大判シートを打抜き部より搬出し連結部を切断する状態を示す斜視図
【図４】同切断した所定形状のシートを大判シートから取出す状態を示す斜視図
【図５】同シートをパレットに収納する状態を示す斜視図
【図６】同シートをパレットに収納した状態を示す斜視図
【図７】同打抜きに利用する打抜刃の斜視図
【符号の説明】
【００２７】
１    大判シート
２    シート
３    打抜刃
４    刃
５    欠除部
６    連結部
７    カッター
１０    パレット
【図１】
2006095660.tif 000003
【図２】
2006095660.tif 000004
【図３】
2006095660.tif 000005
【図４】
2006095660.tif 000006
【図５】
2006095660.tif 000007
【図６】
2006095660.tif 000008
【図７】
2006095660.tif 000009